(57)【要約】【課題】ペットに取り付けた２本のリードが巻き付いたり絡み付いたりしにくくし、また、巻き付いたり絡みついたりした場合でも、これらが容易に解消されるようにする。【解決手段】基端部に把持部１３を有するメインリード本体１１の先端に、相互に回転自在な第１の環状部１２ａと第２の環状部１２ｂとを有するメイン連結具１２の第１の環状部１２ａを連結する。また、相互に回転自在な第３の環状部２２ａと第４の環状部２２ｂとを有するサブ連結具２２の第３の環状部２２ａを第２の環状部１２ｂに連結し、第４の連結部２２ｂをサブリード本体２１の基端部に連結する。【選択図】図１
2009273370.tif 000002
【特許請求の範囲】
【請求項１】
ペットに取り付けて使用するペット用リードにおいて、
基端部が使用者に把持される紐状のメインリード本体と、前記メインリード本体の先端部に連結されたメイン連結具とを有するメインリードと、
先端部がペットに取り付けられる紐状のサブリード本体と、前記サブリード本体の基端部と前記メイン連結具とを連結するサブ連結具とを有する、少なくとも２本のサブリードとを備え、
前記メイン連結具は、相互に回転自在な第１の環状部と第２の環状部とを有するとともに、前記第１の環状部が前記メインリード本体の先端部に連結され、
前記サブ連結具は、相互に回転自在な第３の環状部と第４の環状部とを有するとともに、前記第３の環状部が前記メイン連結具の前記第２の環状部に連結され、前記第４の環状部が前記サブリード本体の基端部に連結される、
ことを特徴とするペット用リード。
【請求項２】
前記第１〜第４の環状部のうちの少なくとも１つが開閉機構を有する、
ことを特徴とする請求項１に記載のペット用リード。
【請求項３】
前記サブリードは、前記サブリード本体の先端部に連結される先端連結具を備え、
前記先端連結具は、相互に回転自在な第５の環状部と第６の環状部とを有するとともに、前記第５の環状部が前記サブリードの先端部に連結され、前記第６の環状部がペット側に連結される、
ことを特徴とする請求項１又は２に記載のペット用リード。
【請求項４】
前記第５又は第６の環状部のうちの少なくとも一方が開閉機構を有する、
ことを特徴とする請求項３に記載のペット用リード。
【請求項５】
前記少なくとも２本のサブリード本体の長さが異なる、
ことを特徴とする請求項１ないし４のいずれか１項に記載のペット用リード。
【発明の詳細な説明】
【技術分野】
【０００１】
本発明は、２匹以上のペットを同時に連れて歩いたり散歩させたりする際に使用するペット用リードに関する。
【背景技術】
【０００２】
近時、２匹以上のペット（例えば、犬）を飼う家庭が増加している。
【０００３】
例えば、２匹のペットを同時に散歩させる方法としては、２本の個別のリードの先端をそれぞれのペットに取り付ける場合、また、１本のリードの先端側を二股に分岐させてそれぞれの先端をペット側に取り付ける場合、さらには、１本のメインリードの先端に環状部を設けて、この環状部に２本のサブリードを取り付け、これらサブリードの先端をそれぞれペット側に取り付ける場合などがある。
【０００４】
また特許文献１には、リードの巻き付きを防止するために、自在回転付き滑車を取り付けた発明が開示されている。
【特許文献１】特開２００５−３２８８１４号公報
【発明の開示】
【発明が解決しようとする課題】
【０００５】
しかしながら、上述の特許文献１に開示された発明を含め、上述の従来技術に記載されているペット用リードは、実際に使用して、２匹のペットを散歩させた場合、２本のリードが巻き付いたり絡み付いたりする場合があり、この場合には、これらを解消するのが困難であったり、また、解消するための機構（自在回転付き滑車）はついているものの、例えば、２本のリードの先端側で絡まった場合には、これを自在回転付き滑車で解消するには時間が掛かったりするおそれがある。
【０００６】
そこで、本発明は、２本以上のリードが巻き付いたり絡み付いたりした場合に、これらを容易に解消することができるペット用リードを提供することを目的とするものである。
【課題を解決するための手段】
【０００７】
請求項１に係る発明は、ペットに取り付けて使用するペット用リードに関する。この発明に係るペット用リードは、基端部が使用者に把持される紐状のメインリード本体と、前記メインリード本体の先端部に連結されたメイン連結具とを有するメインリードと、先端部がペットに取り付けられる紐状のサブリード本体と、前記サブリード本体の基端部と前記メイン連結具とを連結するサブ連結具とを有する、少なくとも２本のサブリードとを備え、前記メイン連結具は、相互に回転自在な第１の環状部と第２の環状部とを有するとともに、前記第１の環状部が前記メインリード本体の先端部に連結され、前記サブ連結具は、相互に回転自在な第３の環状部と第４の環状部とを有するとともに、前記第３の環状部が前記メイン連結具の前記第２の環状部に連結され、前記第４の環状部が前記サブリード本体の基端部に連結される、ことを特徴としている。
【０００８】
請求項２に係る発明は、請求項１に記載のペット用リードにおいて、前記第１〜第４の環状部のうちの少なくとも１つが開閉機構を有する、ことを特徴としている。
【０００９】
請求項３に係る発明は、請求項１又は２に係るペット用リードにおいて、前記サブリードは、前記サブリード本体の先端部に連結される先端連結具を備え、前記先端連結具は、相互に回転自在な第５の環状部と第６の環状部とを有するとともに、前記第５の環状部が前記サブリードの先端部に連結され、前記第６の環状部がペット側に連結される、ことを特徴としている。
【００１０】
請求項４に係る発明は、請求項３に係るペット用リードにおいて、前記第５又は第６の環状部のうちの少なくとも一方が開閉機構を有する、ことを特徴としている。
【００１１】
請求項５に係る発明は、請求項１ないし４のいずれか１項に係るペット用リードにおいて、前記少なくとも２本のサブリード本体の長さが異なる、ことを特徴としている。
【発明の効果】
【００１２】
請求項１の発明によると、メインリードと、複数のサブリードとの連結部近傍、すなわち、メインリードの先端部と、複数のサブリードの基端部とには、それぞれ回転自在なメイン連結具、サブ連結具が配置されているので、複数のサブリードが巻き付いたり絡み付いたりしにくくすることができ、また、巻き付いたり絡み付いたりした場合でも、これらを従来例と比較して容易に解消することができる。なお、この点については、実施形態において、さらに詳述する。
【００１３】
請求項２の発明によると、第１〜第４の環状部が開閉機構を有する場合には、これを開放することにより、簡単に取り外しすることができる。
【００１４】
請求項３の発明によれば、サブリード本体の先端部に、さらに、回転自在な先端連結具を設けることにより、さらに容易に、サブリードの巻き付きや絡みを解消することができる。
【００１５】
請求項４の発明によると、第５又は第６の環状部が開閉機構を有する場合には、これを開放することにより、簡単に取り外しすることができる。
【００１６】
請求項５の発明によれば、少なくとも２本のサブリード本体の長さを変えることにより、サブリードをさらに巻き付きにくく絡みにくくすることができる。
【発明を実施するための最良の形態】
【００１７】
以下、本発明の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００１８】
図１を参照して、本実施形態に係るペット用リードについて説明する。
【００１９】
図１に示すように、ペット用リード１は、メインリード１０と、２本のサブリード２０，２０とを備えている。
【００２０】
メインリード１０は、メインリード本体１１と、メイン連結具１２とを有している。メインリード本体１１は、例えば、皮革やビニル等によってほぼ紐状に形成されていて、基端部１１ａには、使用者が把持するループ状の把持部１３が設けてある。
【００２１】
メイン連結具１２は、メインリード本体１１の先端部１１ｂに連結されている。メイン連結具１２は、相互に回転自在なループ状の第１の環状部１２ａと第２の環状部１２ｂとを有していて、第１の環状部１２ａが上述のメインリード本体１１の先端部１１ｂに連結されている。第２の環状部１２ｂには、後述するサブ連結具２２，２２が連結される。メイン連結具１２全体は、金属で形成されたいわゆる金具である。
【００２２】
サブリード２０，２０は、それぞれサブリード本体２１と、サブ連結具２２とを有している。サブリード本体２１は、例えば、皮革やビニル等によってほぼ紐状に形成されていて、先端部２１ｂには、ペットの首に直接、嵌めることが可能なループ状の首輪部２３が形成されている。首輪部２３には、調整具２４が取り付けられていて、この調整具２４を先端側（矢印ａ方向）に移動させると、首輪部２３の閉ループが小さくなって、例えば、小型犬の首回りに適合する。一方、調整具２４を基端側（矢印ｂ方向）に移動させると、首輪部２３の閉ループが大きくなって、例えば、中型犬の首回りに適合する。なお、首輪部２３と調整具２４との間には、調整具２４が移動しようとすると両者間に適度な摩擦力が作用して、不要には移動しないようになっている。つまり、首輪部２３を犬の首に掛けて、調整具２４で絞った場合には、この調整具２３は、不要に移動することがないように構成されている。ただし、使用者（飼い主）が調整具２４を積極的に移動させようとすると、比較的容易に移動するようになっている。
【００２３】
サブ連結具２２は、サブリード本体２１の基端部２１ａに連結されている。サブ連結具２２は、相互に回転自在なループ状の第３の環状部２２ａと第４の環状部２２ｂとを有している。このうち、第３の環状部２２ａは、上述のメイン連結具１２の第２の環状部１２ｂに連結されている。一方、第４の環状部２２ｂは、上述のサブリード本体２１の基端部２１ａに連結されている。なお、本実施形態では、第３の環状部２２ａは、開閉機構を備えていて、レバー２２ｃを押し下げると、ループの一部が開放されるようになっている。これにより、メイン金具１２の第２の環状部１２ｂに対する着脱が可能となっている。
【００２４】
ここで、図３（ａ），（ｂ）を参照して、本実施形態のペット用リード１の作用・効果について詳述する。同図に示すペット用リード３は、上述の本発明に係るペット用リード１と比較するために図示するものである。このペット用リード３は、メインリード１０については、図１に示すペット用リード１と同様であるが、サブリード３０については、ペット用リード１とは異なり、サブ連結具は有していない。すなわち、図３（ａ），（ｂ）に示すように、ペット用リード３は、メインリード１０については、メインリード本体１１とその先端部１１ｂに取り付けたメイン連結具１２とを有している。これに対し、サブリード本体３１は、その基端部３１ａを、メイン連結具１２の第２の環状部１２ｂに直接、連結している。
【００２５】
図３（ａ）に示すように、ペット用リード３を使用して、例えば、２本のサブリード３０の先端側（矢印Ａ方向）を犬に繋いで散歩をしたところ、２匹の犬が交互に左右に４回、位置を入れ換えたために、２本のサブリード本体３１，３１がメイン連結具１２の２回転分、巻き付いた場合を考える。
【００２６】
この巻き付きを解消するには、２本のサブリード本体３１，３１をそれぞれ左側，右側に引っ張る。すると、巻き付いた部分が徐々に、サブリード本体３１，３１の基端部３１ａ，３１ａ側に移動し、さらに、その基端部３１ａ，３１ａが回転自在なメイン連結具１２の第２の環状部１２ｂに連結されているので、この第２の環状部１２ｂが第１の環状部１２ａに対して矢印Ｒ方向に２回転することにより、２本のサブリード本体３１，３１は、図３（ｂ）に示すように、巻き付きが解消されることになる。
【００２７】
このとき、２本のサブリード本体３１，３１は、巻き付きは解消されるものの、第２の環状部１２ｂが２回転することにより、それぞれ個別に第２の環状部１２ｂの回転方向（矢印Ｒ方向）と同方向に２回転分、捩られることになる（図３（ｂ）の各サブリード本体３１，３１の斜線参照）。このため、サブリード本体３１，３１が細くて柔らかい素材で形成されている場合には、この捩れによる影響がほとんどないため、確かに、図３（ｂ）に示すように、巻き付きは解消される。
【００２８】
しかしながら、サブリード本体３１，３１が適度に太くて丈夫な皮革等で形成されている場合には、図３（ｂ）に示すようには、巻き付きが解消されない。すなわち、皮革等のサブリード本体３１，３１は、第２の環状部１２ｂの矢印Ｒ方向の回転によって、巻き付きが徐々に解消されるのと同時に、それぞれが個別に同方向（矢印Ｒ方向）に捩られることになる。そして、サブリード本体３１，３１は、捩られることによって、これを解消する方向の反力、つまり矢印Ｒ方向と逆方向の抵抗力が発生する。このため、矢印Ｒ方向に回転しようとする第２の環状部１２ｂは、上述の反力によってその回転が妨げられる。したがって、２本のリード本体３１，３１の巻き付きが完全に解消されることなく、残ってしまうことになる。
【００２９】
これに対し、図１に示すような、本実施形態によると、サブリード本体２１，２１の基端部２１ａ，２１ａに回転自在な、サブ連結具２２，２２が取り付けられているので、図３（ａ）に示すような巻き付きを解消すべく、第２の環状部１２ｂが回転した場合でも、各サブリード本体２１，２１の捩れは、サブ連結具２２，２２によった解消されるので、これに伴い、２本のサブリード本体２１，２１の巻き付きも良好に解消される。
【００３０】
以上のように、本実施形態に係るペット用リード１は、メインリード１０と、２本のサブリード２０，２０との連結部近傍、すなわち、メインリード本体１１の先端部１１ｂと、２本のサブリード本体２１，２１の基端部２１ａ，２１ａとには、それぞれ回転自在なメイン連結具１２、サブ連結具２２，２２が配置されているので、２本のサブリード２０，２０が巻き付いたり絡み付いたりしにくくすることができ、また、巻き付いたり絡み付いたりした場合でも、これらを容易に解消することができる。また、首輪部２３を直接、犬の首に装着することができるので、首輪やハーネスが不要である。
【００３１】
以上の説明では、メインリード１０に連結するサブリード２０，２０が２本の場合について説明したが、これに限らず、３本以上のサブリード２０を連結することも可能であり、この場合も、２本の場合とほぼ同等の効果を奏することができる。
＜実施形態２＞
【００３２】
図２を参照して、本実施形態のペット用リード２について説明する。同図に示すペット用リード２は、メインリード１０と、これに連結した２本のサブリード２０Ａ，２０Ａを備えている。
【００３３】
ここで、メインリード１０については、上述の実施形態１のメインリード１０と同じ構成であるので、同じ部材等については同じ符号を付して説明は省略する。
【００３４】
サブリード２０Ａ，２０Ａは、それぞれサブリード本体２１Ａとサブ連結具２２と先端連結具２５とを有している。このうち、サブリード本体２１Ａは、例えば、皮革やビニル等によってほぼ紐状に形成されていて、基端部２１ａには、サブ連結具２２が連結されている。なお、サブ連結具２２については、上述の実施形態１のものと同様であるので説明は省略する。
【００３５】
サブリード本体２１Ａの先端部２１ｂには、先端連結具２５が連結されている。先端連結具２５は、相互に回転自在なループ状の第５の環状部２５ｂと第６の環状部２５ａとを有している。第５の環状部２５ｂは、サブリード本体２１Ａの先端部２１ｂに連結されている。第６の環状部２５ａは、レバー２５ｃを押し下げるとループが開放される開閉機構が設けられている。この第６の環状部２５ａは、犬の首に巻かれた首輪の金具（不図示）又は犬に取り付けられたハーネスの金具（不図示）に対して直接取り付けることができる。なお、上述のサブ連結具２２と、先端連結具２５とは、使用箇所が異なるので、上述のように区別しているが、構造や作用については同じである。
【００３６】
以上の構成のペット用リード２は、メインリード１０と、２本のサブリード２０Ａ，２０Ａとの連結部近傍、すなわち、メインリード本体１１の先端部１１ｂと、２本のサブリード本体２１Ａ，２１Ａの基端部２１ａ，２１ａとには、それぞれ回転自在なメイン連結具１２、サブ連結具２２，２２が配置され、さらに２本のサブリード本体２１Ａ，２１Ａの先端部２１ｂ，２１ｂにも回転自在な先端連結具２５，２５が配置されているので、２本のサブリード２０Ａ，２０Ａが巻き付いたり絡み付いたりしにくくすることができ、また、巻き付いたり絡み付いたりした場合でも、これらを容易に解消することができる。また、先端連結部２５が開閉自在に構成されているので、首輪やハーネスを装着した状態の犬に対して、サブリード２０Ａ，２０Ａの着脱が極めて容易である。
【００３７】
すなわち、上述の実施形態１の例では、例えば、１本のサブリード２０の先端に繋がれている犬が、散歩中のその場でくるくる回ったような場合、１本のサブリード本体２１が捩れてしまって、その捩れは、先端側から基端側に徐々に移動して基端部２１ａに連結されているサブ連結具２２に来るまで解消されることがない。
【００３８】
これに対して、本実施形態２では、図２に示すように、２本のサブリード本体２１Ａ，２１Ａの先端部２１ｂ，２１ｂにも回転自在な先端連結部２５，２５が連結されているので、上述のように、上述のように犬がその場でくるくる回転した場合であっても、サブリード本体２１Ａ，２１Ａが捩れるようなことはない。さらに言い換えると、各サブリード本体２１Ａは、その基端部２１ａとその先端部２１ｂとの双方に回転自在なサブ連結具２２、先端連結部２５が取り付けられているので、サブリード本体２１Ａは、常時、捩れのない自然な状態を維持することができる。これにより、２本のサブリード本体２１Ａ，２１Ａの巻き付きや絡み付きを未然に防止することができ、万一、これらが発生した場合でもその解消が容易である。
【００３９】
以上の説明では、メインリード１０に連結するサブリード２０Ａ，２０Ａが２本の場合について説明したが、これに限らず、３本以上のサブリード２０Ａを連結することも可能であり、この場合も、２本の場合とほぼ同等の効果を奏することができる。
【００４０】
以上の実施形態１において、２本又は３本以上のサブリード２０の長さをそれぞれ異なるようにした場合には、複数のサブリード２０の巻き付きや絡み付きを一層、確実に防止し、また、これらが発生した場合でも、その解消が容易である。この点については、実施形態２についても同様である。
【００４１】
以上の実施形態１，２において、第１〜第６の環状部１２ａ，１２ｂ，２２ａ，２２ｂ，２５ａ，２５ｂについて、開閉機構を設けるか否かについては、その使い勝手に応じて任意に選択することが可能である。
【図面の簡単な説明】
【００４２】
【図１】実施形態１のペット用リード１を示す斜視図である。
【図２】実施形態２のペット用リード２を示す斜視図である。
【図３】実施形態１のペット用リード１の作用・効果を説明する図である。
【符号の説明】
【００４３】
１，２      ペット用リード
１０        メインリード
１１        メインリード本体
１１ａ      メインリード本体の基端部
１１ｂ      メインリード本体の先端部
１２        メイン連結具
１２ａ      第１の環状部
１２ｂ      第２の環状部
１３        把持部
２０，２０Ａ
サブリード
２１，２１Ａ
サブリード本体
２１ａ      サブリード本体の基端部
２１ｂ      サブリード本体の先端部
２２        サブ連結具
２２ａ      第３の環状部
２２ｂ      第４の環状部
２２ｃ，２５ｃ
レバー（開閉機構）
２５        先端連結具
２５ａ      第６の環状部
２５ｂ      第５の環状部
【図１】
2009273370.tif 000003
【図２】
2009273370.tif 000004
【図３】
2009273370.tif 000005